【手続補正書】
【提出日】平成17年12月16日(2005.12.16)
【手続補正１】
【補正対象書類名】明細書
【補正対象項目名】特許請求の範囲
【補正方法】変更
【補正の内容】
【特許請求の範囲】
【請求項１】
物体側より順に、負の屈折力の第１レンズ群、正の屈折力の第２レンズ群、負の屈折力の第３レンズ群、正の屈折力の第４レンズ群、負の屈折力の第５レンズ群、正の屈折力の第６レンズ群を有し、広角端に対し望遠端で該第１レンズ群と該第２レンズ群の間隔が小さくなり、該第２レンズ群と該第３レンズの間隔が大きくなり、該第３レンズ群と該第４レンズ群の間隔が小さくなり、該第４レンズ群と該第５レンズ群の間隔が大きくなり、該第５レンズ群と該第６レンズ群の間隔が大きくなるようにレンズ群を移動させてズーミングを行うズームレンズであって、該第５レンズ群を像側へ移動させて無限遠物体から近距離物体へのフォーカシングをおこない、β５ｔを該第５レンズ群の望遠端における横倍率、βｒｔを該第５レンズ群より像側に配置されたレンズ群の望遠端における横倍率とするとき、
１．１＜｜（１−β５ｔ2）×βｒｔ2｜
の条件を満足することを特徴とするズームレンズ。
【請求項２】
ｆｉを前記第ｉレンズ群の焦点距離、ｆｗを広角端における光学系全体の焦点距離、ｆｔを望遠端における光学系全体の焦点距離とするとき、
【数１】
2004198529.tif 000001
の条件を満足していることを特徴とする請求項１に記載のズームレンズ。
【請求項３】
物体側より順に、負の屈折力の第１レンズ群、正の屈折力の第２レンズ群、負の屈折力の第３レンズ群、正の屈折力の第４レンズ群、負の屈折力の第５レンズ群、正の屈折力の第６レンズ群を有し、広角端に対し望遠端で該第１レンズ群と該第２レンズ群の間隔が小さくなり、該第２レンズ群と該第３レンズの間隔が大きくなり、該第３レンズ群と該第４レンズ群の間隔が小さくなり、該第４レンズ群と該第５レンズの間隔が大きくなり、該第５レンズ群と該第６レンズ群の間隔が大きくなるようにレンズ群を移動させてズーミングを行うズームレンズであって、ｆｉを前記第ｉレンズ群の焦点距離、ｆｗを広角端における光学系全体の焦点距離、ｆｔを望遠端における光学系全体の焦点距離とするとき、
【数２】
2004198529.tif 000002
の条件を満足することを特徴とするズームレンズ。
【請求項４】
広角端から望遠端へのズーミングに際して、前記第２レンズ群と前記第４レンズ群は物体側に移動することを特徴とする請求項１，２又は３に記載のズームレンズ。
【請求項５】
広角端から望遠端へのズーミングに際して、前記第５レンズ群は物体側に移動することを特徴とする請求項１、２、３又は４に記載のズームレンズ。
【請求項６】
ｆｉを前記第ｉレンズ群の焦点距離、ｆｗを広角端における光学系全体の焦点距離、ｆｔを望遠端における光学系全体の焦点距離とするとき、
０．８ ＜｜ｆ１／ｆｗ｜＜ ２．３
０．１ ＜ ｆ２／ｆｔ ＜ ２．０
０．５ ＜｜ｆ３／ｆｗ｜＜ ４．５
０．３ ＜ ｆ４／ｆｔ ＜ ２．０
０．２ ＜｜ｆ５／ｆｔ｜＜ １．９
１．０ ＜ ｆ６／ｆｗ ＜ ８．０
の条件を満足していることを特徴とする請求項１乃至５のいずれか１項に記載のズームレンズ。
【請求項７】
前記第２レンズ群は、少なくとも１枚の負レンズと少なくとも１枚の正レンズを有していることを特徴とする請求項１乃至６のいずれか１項に記載のズームレンズ。
【請求項８】
前記第６レンズ群は、光軸からレンズ周辺に向かって正の屈折力が強くなる形状の非球面を有していることを特徴とする請求項１乃至７のいずれか１項に記載のズームレンズ。
【請求項９】
前記第５レンズ群は、少なくとも１枚の負レンズと少なくとも１枚の正レンズを有していることを特徴とする請求項１乃至８のいずれか１項に記載のズームレンズ。
【請求項１０】
広角端から望遠端へのズーミングに際して、前記第１、第２、第４、第５レンズ群は物体側へ移動し、前記第３レンズ群は物体側に凸状の軌跡に沿って移動し、前記第６レンズ群は固定であることを特徴とする請求項１乃至９のいずれか１項に記載のズームレンズ。
【請求項１１】
物体側より順に、正の屈折力の第１レンズ群、負の屈折力の第２レンズ群、全体として正の屈折力の後続レンズ群を有し、広角端に対し望遠端で該第１レンズ群と該第２レンズ群の間隔が大きくなり、該第２レンズ群と該後続レンズ群の間隔が小さくなるようにレンズ群を移動させてズーミングを行うズームレンズであって、該後続レンズ群は、１以上のレンズ群ＢＲＸと負の屈折力のレンズ群ＢＲａと正の屈折力のレンズ群ＢＲｂを有し、広角端に対し望遠端で該レンズ群ＢＲａと該レンズ群ＢＲｂの間隔が大きくなるようにレンズ群を移動させており、該レンズ群ＢＲａを像側へ移動させて、無限遠物体から近距離物体へのフォーカシングをおこない、βＢＲａｔを該レンズ群ＢＲａの望遠端における横倍率、βＢＲｂｔを該レンズ群ＢＲｂの望遠端における横倍率とするとき、
３．０＜｜（１−βＢＲａｔ2）×βＢＲｂｔ2｜
の条件を満足することを特徴とするズームレンズ。
【請求項１２】
ｆＢＲａを前記レンズ群ＢＲａの焦点距離、ｆＢＲｂを前記レンズ群ＢＲｂの焦点距離、ｆｗを広角端における光学系全体の焦点距離、ｆｔを望遠端における光学系全体の焦点距離とするとき、
【数３】
2004198529.tif 000003
の条件を満足していることを特徴とする請求項１１に記載のズームレンズ。
【請求項１３】
前記レンズ群ＢＲａは少なくとも１枚の正レンズを有し、νｐを該レンズ群ＢＲａ内の正レンズの材料のアッベ数（正レンズを複数有するときはその平均値）とするとき、
νｐ ＜ ４５
の条件を満足していることを特徴とする請求項１１又は１２記載のズームレンズ。
【請求項１４】
ｆｉを前記第ｉレンズ群の焦点距離、ｆｗを広角端における光学系全体の焦点距離、ｆｔを望遠端における光学系全体の焦点距離とするとき、
【数４】
2004198529.tif 000004
の条件を満足していることを特徴とする請求項１１、１２又は１３記載のズームレンズ。
【請求項１５】
広角端から望遠端へのズーミングに際して、前記レンズ群ＢＲａは物体側に移動することを特徴とする請求項１１、１２、１３又は１４に記載のズームレンズ。
【請求項１６】
前記レンズ群ＢＲＸは、物体側から順に、正の屈折力のレンズ群ＢＲ１、負の屈折力のレンズ群ＢＲ２、正の屈折力のレンズ群ＢＲ３を有し、広角端に比べ望遠端で該レンズ群ＢＲ１と該レンズ群ＢＲ２の間隔が大きくなり、該レンズ群ＢＲ２と該レンズ群ＢＲ３の間隔が小さくなり、該レンズ群ＢＲ３と前記レンズ群ＢＲａの間隔が変化するようにレンズ群が移動しており、ｆＢＲｉをレンズ群ＢＲｉの焦点距離、ｆｗを広角端における光学系全体の焦点距離、ｆｔを望遠端における光学系全体の焦点距離とするとき、
【数５】
2004198529.tif 000005
の条件を満足していることを特徴とする請求項１１乃至１５のいずれか１項に記載のズームレンズ。
【請求項１７】
ｆｉを前記第ｉレンズ群の焦点距離、ｆｗを広角端における光学系全体の焦点距離、ｆｔを望遠端における光学系全体の焦点距離とするとき、
０．２ ＜｜ｆ５／ｆｔ｜＜ １．９
１．０ ＜ ｆ６／ｆｗ ＜ ８．０
の条件を満足していることを特徴とする請求項１乃至５のいずれか１項に記載のズームレンズ。
【請求項１８】
ｆｉを前記第ｉレンズ群の焦点距離、ｆｗを広角端における光学系全体の焦点距離、ｆｔを望遠端における光学系全体の焦点距離とするとき、
０．８ ＜｜ｆ１／ｆｗ｜＜ ２．３
０．１ ＜ ｆ２／ｆｔ ＜ ２．０
０．５ ＜｜ｆ３／ｆｗ｜＜ ４．５
０．３ ＜ ｆ４／ｆｔ ＜ ２．０
の条件を満足していることを特徴とする請求項１乃至５のいずれか１項に記載のズームレンズ。
【請求項１９】
物体側より順に、ズーミングに際して、光軸上移動するレンズ群を複数含む前方レンズ群と、光軸上移動する負の屈折力のレンズ群ＢＮと、ズーミングの為には不動の正の屈折力のレンズ群ＢＰとを有し、無限遠物体から近距離物体へのフォーカシングを、該レンズ群ＢＮを像側へ移動させて行っていることを特徴とするズームレンズ。
【請求項２０】
固体撮像素子上に像を形成するための光学系であることを特徴とする請求項１から１９のいずれか１項のズームレンズ。
【請求項２１】
請求項１から２０のいずれか１項のズームレンズと、該ズームレンズによって形成された像を受光する固体撮像素子とを有していることを特徴とするカメラ。
【手続補正２】
【補正対象書類名】明細書
【補正対象項目名】００１５
【補正方法】削除
【補正の内容】
【手続補正３】
【補正対象書類名】明細書
【補正対象項目名】００１６
【補正方法】削除
【補正の内容】
【手続補正４】
【補正対象書類名】明細書
【補正対象項目名】００１７
【補正方法】変更
【補正の内容】
【００１７】
本発明のズームレンズは、物体側より順に、負の屈折力の第１レンズ群、正の屈折力の第２レンズ群、負の屈折力の第３レンズ群、正の屈折力の第４レンズ群、負の屈折力の第５レンズ群、正の屈折力の第６レンズ群を有し、広角端に対し望遠端で該第１レンズ群と該第２レンズ群の間隔が小さくなり、該第２レンズ群と該第３レンズの間隔が大きくなり、該第３レンズ群と該第４レンズ群の間隔が小さくなり、該第４レンズ群と該第５レンズ群の間隔が大きくなり、該第５レンズ群と該第６レンズ群の間隔が大きくなるようにレンズ群を移動させてズーミングを行うズームレンズであって、該第５レンズ群を像側へ移動させて無限遠物体から近距離物体へのフォーカシングをおこない、β５ｔを該第５レンズ群の望遠端における横倍率、βｒｔを該第５レンズ群より像側に配置されたレンズ群の望遠端における横倍率とするとき、
１．１＜｜（１−β５ｔ2）×βｒｔ2｜
の条件を満足することを特徴としている。
【手続補正５】
【補正対象書類名】明細書
【補正対象項目名】０１４９
【補正方法】削除
【補正の内容】
【手続補正６】
【補正対象書類名】明細書
【補正対象項目名】０１５０
【補正方法】削除
【補正の内容】